(57)【要約】密閉環境内の細菌数を低減する方法の実行、トレーサビリティ、監視および制御のためのシステム（１）であって、密閉環境に関する情報を含むように配列された環境識別デバイス（２）と、環境識別デバイス（２）に含まれた情報に基づいて、除染剤（１２）を、散気装置（９）を介して空中を乾霧状に拡散させるように配列されたデバイス（３）であって、空気分散した除染剤を微細化するデバイス（３）と、除染剤（１２）の濃度を検出するように適合された検出センサ（４）と、量的および質的細菌濃度を決定するように配列された瞬時細菌分析センサ（５）と、所望の量的および質的細菌目標に関する異例を識別するために、かつ除染剤（１２）が拡散した結果として得られた細菌結果を証明するために、散気装置（９）から、検出センサ（４）から、および瞬時細菌分析センサ（５）から、受けたデータを処理するように配列された中央サーバ（６）とを備えた、システム（１）。
2015530884.tif 000002
【特許請求の範囲】
【請求項１】
密閉環境内の細菌数を低減する方法の実行、トレーサビリティ、監視および制御のためのシステム（１）であって、
前記密閉環境に関する情報を含むように配列された環境識別デバイス（２）と、
前記環境識別デバイス（２）に含まれた前記情報に基づいて、除染剤（１２）を、散気装置（９）を介して空中を乾霧状に拡散させるように配列された、空気分散した除染剤を微細化するデバイス（３）と、
前記除染剤（１２）の濃度を検出するように適合された検出センサ（４）と、
量的および質的細菌濃度を決定するように配列された瞬時細菌分析センサ（５）と、
所望の量的および質的細菌目標に関する異例を識別するために、かつ前記除染剤（１２）が拡散した結果として得られた前記細菌結果を証明するために、前記散気装置（９）から、前記検出センサ（４）から、および前記瞬時細菌分析センサ（５）から、受けたデータを処理するように配列された中央サーバ（６）とを備えた、システム（１）。
【請求項２】
前記環境識別センサ（２）は、密閉環境内の細菌数を低減する前記方法に関する技術情報を含むメモリ手段（７）を備える、請求項１に記載のシステム。
【請求項３】
前記微細化デバイス（３）は、
前記除染剤（１２）を含むように適合された収集タンク（１３）と、
前記収集タンク（１３）から前記除染剤（１２）を取り出すように配列された管（１１）と、
前記環境から空気を取り出して、前記空気をブロア（１９）に送るように配列された送風機（２０）であって、前記ブロア（１９）が、前記空気を、前記収集タンク（１３）から受けた前記除染剤（１２）と混合するように配列される、送風機（２０）と、
前記送風機（２０）を駆動するように適合されたモータ（１８）とを備える、請求項１または２に記載のシステム。
【請求項４】
前記収集タンク（１３）は、圧送ポンプ（１５）に接続されたフロートスイッチ（１４）であって、前記圧送ポンプ（１５）が、前記収集タンク（１３）内で前記除染剤（１２）の所定レベルを維持するように、小売りパック（１６）から取り出された前記除染剤（１２）で前記収集タンク（１３）を充填するように配列される、フロートスイッチ（１４）を含む、請求項３に記載のシステム。
【請求項５】
前記検出センサ（４）は、マイクロプロセッサ（２２）を介して前記瞬時細菌分析センサ（５）に接続された圧電プローブ（２３）を備える、請求項１から４のいずれか一項に記載のシステム。
【請求項６】
前記瞬時細菌分析センサ（５）は、「片持ち梁」または「片持ち梁のアレイ」の形をした高感度微小構造（２５）であって、任意の病原性微生物を捕捉するように配列され、かつ検出された微生物の量および該微生物の特性を前記マイクロプロセッサ（２２）に信号で送るように配列された高感度微小構造（２５）を備えたラボ・オン・チップ型（２４）のマイクロ流体プラットフォームに基づいている、請求項１から５のいずれか一項に記載のシステム。
【発明の詳細な説明】
【技術分野】
【０００１】
本発明は、研究所またはクリーンルームなどの、密閉環境内の細菌数を低減する方法の実行、トレーサビリティ、監視および制御のためのシステムに関する。
【０００２】
詳しくは、本発明は、任意の密閉環境における細菌を量的および質的に維持するための操作手順を実行する装置、デバイスならびに除染剤の使用を監視するシステムに関する。
【背景技術】
【０００３】
現在では、密閉環境内の量的および質的細菌レベルは、クリーニングならびに密閉環境内におよび同環境内に設けられた表面上に存在している有機物質の除去、除染化学製品の適用によるこれらの表面の消毒または衛生化、ならびに前記表面のすすぎおよび乾燥などの、相当数の所定の手動操作手順を使用することによって維持される。
【０００４】
したがって前述の密閉環境の衛生化および消毒における操作上の活動の監視は、オペレータによって手動で実行されて、記録文書または「自己監視計画」に文書化されるが、このような監視は、密閉環境の空気および表面上で有資格の外部オペレータによって実施された質的細菌サンプリングを伴うことがある。
【０００５】
必要とする手動操作が多いため、上述したことから監視活動を科学的および自動的に立証することができないという結果になるが、その代わりにこれらの操作を行うのに雇われたオペレータは、行われた活動について簡単に文書化された自己証明に署名する。
【０００６】
これは、オペレータに対して細菌の露出の危険も伴いながら、極めて普通に写し誤りを引き起こし、オペレータの健康上および密閉環境内部の計画された活動上に影響を及ぼす。
【０００７】
したがって本発明の目的は、期待される量的および質的細菌目標の達成を確実にするために、密閉環境内の細菌数を低減する方法の実行、トレーサビリティ、監視および制御のためのシステムであって、密閉環境の消毒および衛生化の活動における人的誤りの危険を低減または排除することを可能にするシステムを提案することであり、同方法に関する個々の操作の自動的かつ誤り無しのトレーサビリティを提供して、得られた細菌結果を証明する。
【０００８】
これらのおよび他の目的は、密閉環境内の細菌数を低減する方法の実行、トレーサビリティ、監視および制御のためのシステムを用いて達成され、同システムの主要な特徴は、請求項１に定義される。
【０００９】
具体的な実施形態は、従属請求項に記載され、同従属請求項の内容は、本明細書の不可欠かつ本質的な部分とみなされるべきである。
【００１０】
本発明のさらなる特徴および利点は、添付の図面を参照して、単に非限定的な例として提供された次の詳細な説明によって、明らかにされることになる。
【図面の簡単な説明】
【００１１】
【図１】密閉環境内に適用された、本発明に従うシステムの前面斜視図である。
【図２】本発明に従うシステムの環境識別センサの前面図である。
【図３】除染剤を微細化するデバイスの前面図である。
【図４】検出センサおよび瞬時細菌分析センサの前面図である。
【発明を実施するための形態】
【００１２】
簡潔に言えば、本発明に従うシステムは、細菌の品質維持が必要となる個々の密閉環境におけるすべての技術および構造データを取得することによって、密閉環境内に存在している除染剤を微細化するデバイスの活動を、可能にするとともに制御するのに用いることができる。
【００１３】
微細化デバイスは、密閉環境内で表面上に残留物を残さずに除染剤を一様に散布して、期待される量的および質的細菌目標を達成するために、除染剤の細菌数低減（除染）の活動を調整する。
【００１４】
密閉環境内の細菌数を低減する方法は、使用される除染剤用の技術データシートおよび安全データシート内にならびに微細化デバイスのユーザマニュアル内に明示された用法モードに従って適用される。密閉環境内の細菌数低減が、ユーザによって予め決定された量的および質的パラメータに関して実行されて、得られた細菌結果の証明を可能にする。
【００１５】
本発明に従うシステムは、密閉環境内で実行されるすべての消毒および衛生化操作、ならびに期待される目標を達成するために用いられる除染剤の種類を識別する。
【００１６】
本発明のシステムは、細菌数低減方法の前または終了時に起動した瞬時細菌分析センサを用いることによって、細菌の量および質サンプリングを即時に実行して、得られた結果の公的証明を提供することができる。
【００１７】
取得された情報は、個々の密閉環境ごとに、データベースの生成、統計パラメータの処理およびコストの分析ならびに質的環境維持の活動に関する他の情報に用いることができる。
【００１８】
図１において、番号１は、本発明に従って細菌数を低減する方法の実行、トレーサビリティ、監視および制御のためのシステムを指し示す。
【００１９】
本システム１は、好ましくは密閉環境の内部に固定されたデバイスであって、細菌数を低減する方法および密閉環境の特性に関する技術情報を含む周知の記憶手段７を含む環境識別デバイス２を備える。詳しくは、記憶手段７は、除染処置の実行の周期性を表すデータを含む。
【００２０】
本システム１は、空気分散した除染剤３を微細化するデバイスであって、密閉環境に関する処置されるべき情報（環境識別デバイス２によって供給される）を取得するトランスポンダ読取器８と、除染剤を乾霧状に生成するように適合された散気装置９とを備えた微細化デバイスをさらに備える。
【００２１】
トランスポンダ８はまた、供給された除染剤の量、供給時間、および同類のものなどの、細菌数を低減する方法に関するデータを中央サーバ６に送るように配列され、前記中央サーバ６は、本システム１の種々のデバイスの活動を統合する。
【００２２】
中央サーバ６によって取得されたデータは、期待される目標に関する異例を識別するために、かつ「自己監視計画」を生み出すことによって、得られた細菌結果を証明するために、サーバ６それ自体によって周知のやり方で処理される。
【００２３】
データの処理は、密閉環境に関する実際の技術ファイルおよび科学的ファイルを提供するために、周知のやり方で、グラフの生成、予防用の操作プロトコルの処理、実行された処理のコストの分析、および密閉環境の細菌状態の改善に役立つ他の任意の情報を提供する。
【００２４】
微細化デバイス３は、環境識別デバイス２から受けた情報に基づいて、および除染剤に関するデータであって、例えば除染剤の包装上に存在しているコードを読み取るように配列されたトランスポンダ８を用いて取得されたデータに基づいて、自己調整することができる。
【００２５】
最終的に、本システム１は、散気装置９によって密閉環境内へ供給された除染剤の濃度を検出するように配列された検出センサ４を備える。
【００２６】
本システム１は、細菌数を低減する方法の使用の前後に、正確な量的および質的細菌レベルを決定することができる瞬時細菌分析センサ５をさらに備える。
【００２７】
細菌数低減の各サイクルの終了時に、微細化デバイス３は、周知のやり方で、実行された活動に関する情報を中央サーバ６へ転送するように作動する。微細化デバイス３はまた、密閉環境内に存在している質的および量的細菌レベルの分析のステップを開始する信号を瞬時細菌分析センサ５に送る。
【００２８】
順繰りに、瞬時細菌分析センサ５は、完了した分析の結果を中央サーバ６に送る。
【００２９】
図２で、図１と同一のまたは図１に対応する部品およびエレメントは、同一の符号を与えられており、図２は、書き込み可能なプリント回路１０を含むメモリ手段７を備える環境識別デバイス２を示す。メモリ手段７には、密閉環境に関するすべての構造および容積情報と、処置の計画的周期性などの細菌数を低減する本方法に関する技術情報とが入力され、これらの情報により、供給される製品の最適な濃度が決定される。
【００３０】
図３で、図１と同一のまたは図１に対応する部品およびエレメントは、同一の符号を与えられており、図３は、微細化デバイス３を示し、散気装置９は、微細化デバイス３内で空中を乾霧状に除染剤を拡散させる。微細化デバイス３は、ベンチュリ効果で作動し、すなわち除染剤１２は、収集容器１３から供給管１１を通して取り出され、除染剤１２のレベルは、元の小売りパック１６から除染剤１２を取り出すことによって容器１３を充填する圧送ポンプ１５に接続されたフロートスイッチ１４を用いて一定に保たれる。除染剤１２は、パック１６上に存在している説明用ラベル２８内に位置決めされたプリント回路を用いて、除染剤１２の感覚刺激特性について識別される。
【００３１】
本発明に従うシステムに属するすべてのコンポーネントの活動は、トランスポンダ８による密閉環境に関するデータの取得に引き続いて、モータ１８が駆動する送風機２０によって外部環境から引き込まれた空気の量と除染剤１２とを比例的に混合することができるブロア１９に接続された電気モータ１８の作動を開始する制御ユニット１７によって制御される。散気装置９は、例えばＢｌｕｅｔｏｏｔｈ型、ＳＭＳ型またはＧＰＲＳ型などのデータ伝送システム（図面には示されていない）を用いて作動して、散気装置９自体の活動に関するすべての情報を、上述した後続の処理のために中央サーバ６に伝送する。
【００３２】
図４で、図１と同一のまたは図１に対応する部品およびエレメントは、同一の符号を与えられており、図４は、除染剤の濃度を検出する検出センサ４であって、マイクロプロセッサ２２を介して瞬時細菌分析センサ５に接続された圧電プローブ２３を備えた検出センサ４を示し、瞬時細菌分析センサ５は、「片持ち梁」または「片持ち梁のアレイ」の形をした高感度微小構造２５であって、任意の病原性微生物を捕捉するように配列され、かつ検出された微生物の量および同微生物の特性をマイクロプロセッサ２２に信号で送るように配列された高感度微小構造２５を備えたラボ・オン・チップ型２４のマイクロ流体プラットフォームに基づいている。
【００３３】
マイクロプロセッサ２２は、検出センサ４および瞬時細菌分析センサ５の活動に関して取得された情報を、例えばＢｌｕｅｔｏｏｔｈ型、ＳＭＳ型またはＧＰＲＳ型２６などのデータ伝送システムを用いて、上述した後続の処理のために中央サーバ６に転送するように適合される。
【００３４】
有利なことに、本発明に従うシステムは、密閉環境用に操作上の「自己監視計画」に含まれる活動に関する質的パラメータおよび頻度パラメータの中央サーバ６への入力を用いて、予防ベースでまたは汚染の発見に続いて、データ信号と警報信号の不一致報告を発生させて、関係する操作および活動を管理している人々にリアルタイムで伝送することができる。
【００３５】
有利なことに、本発明に従うシステムは、前もって指定された自己監視プロセスを証明しながら、デバイスの活動から得られたデータの系統的処理を用いて、品質維持活動に関して得られた直接的および間接的利益とコストを比較した統計的グラフおよび評価パラメータを生成することができる。
【００３６】
本発明に従うシステムによって適用された方法は、外部オペレータによるロコ細菌サンプリングの手順を回避し、かつ従来の除染プロセスの結果として見出された細菌品質の必然的劣化を回避しながら、所与の密閉環境に対して、最適な品質基準を達成することを可能にする。このために、サンプリングされた物質を収集して搬送する操作を実行することは、密閉環境の細菌レベルを決定するためには、もはや必要でない。
【００３７】
明らかに、本発明の原理が保持されるならば、出願の形式および実施形態の詳細は、単に非限定的な例として説明され図示されているものから、広範囲に変更することができ、この変更によって添付の請求項に記載の本発明の範囲からは逸脱しない。
【図１】
2015530884.tif 000003
【図２】
2015530884.tif 000004
【図３】
2015530884.tif 000005
【図４】
2015530884.tif 000006
【国際調査報告】
2015530884.tif 000007
2015530884.tif 000008